(57)【特許請求の範囲】
【請求項１】
割薬及び星を玉皮で包含してなる花火玉であって、
前記割薬は、酸性の炭を含む火薬と、アルカリ性の炭とを含むことを特徴とする花火玉。
【請求項２】
請求項１において、
前記玉皮は、植物繊維と、澱粉と、セルラーゼと、アルカリ性の炭とを含むことを特徴とする花火玉。
【発明の詳細な説明】
【技術分野】
【０００１】
本発明は、上空に打ち上げて爆発、開花させる花火玉に係り、特に、環境への負荷を低減するのに好適な花火玉に関する。
【背景技術】
【０００２】
従来、紙からなる半球状の玉皮の内側に沿って星を配列し、星の内側に割薬を充填した２つの玉皮を合わせて１つの玉とし、１つの玉の周りに紙を何重にも重ねて貼り付けてなる花火玉が用いられている。
【０００３】
割薬は、花火玉を爆発、開花させる目的のものとして花火玉に充填されるもので、例えば、綿実やもみがら等の素材を芯にし粉火薬を覆い固めたものを使用している（特許文献１）。
【先行技術文献】
【特許文献】
【０００４】
【特許文献１】特開２００２−２７７１９５号公報
【発明の概要】
【発明が解決しようとする課題】
【０００５】
しかしながら、特許文献１記載の割薬は、爆発した際、火薬部分のみが完全燃焼し、芯である綿実やもみがら等の素材が完全燃焼せず、燃え滓等の残渣が地上や水上（以下、「地上等」という。）に落下する。地上等に落下した残渣は、環境に負荷を与える。
【０００６】
そこで、本発明は、このような従来の技術の有する未解決の課題に着目してなされたものであって、環境への負荷を低減するのに好適な花火玉を提供することを目的としている。
【課題を解決するための手段】
【０００７】
〔発明１〕  上記目的を達成するために、発明１の花火玉は、割薬及び星を玉皮で包含してなる花火玉であって、前記割薬は、酸性の炭を含む火薬と、アルカリ性の炭とを含む。
【０００８】
炭には、酸性の炭と、アルカリ性の炭があり、酸性の炭が残渣となった場合と、アルカリ性の炭が残渣となった場合とでは、海水や土壌への影響に大きな差が出ると考えられる。酸性の炭は、低温で焼成するため、樹木が成長時に吸い上げた重金属等の不純物が残っていることが多い。そのため、酸性の炭が残渣として地上等に落下すると、炭に含まれる不純物が環境に負荷を与える。これに対し、アルカリ性の炭は、高温で焼成するため、燃焼により不純物がなくなりミネラルだけが残る。そのため、アルカリ性の炭が残渣として地上等に落下すると、アルカリ性の炭が有する浄化作用により海水の水質や土壌を改善することができる。
【０００９】
本発明に係る花火玉は、アルカリ性の炭が割薬に含まれているので、花火玉が上空で爆発、開花した後、アルカリ性の炭が残渣として地上等に落下すると、海水の水質や土壌の改善が促される。
【００１０】
ここで、アルカリ性の炭は、粒状又は粉状であることが好ましいが、これに限らず、任意の大きさ及び形状の炭を採用することができる。酸性の炭についても同様である。
【００１１】
また、割薬は、火薬及びアルカリ性の炭を含んでいればよく、火薬及びアルカリ性の炭を混合してなる構成のほか、火薬及びアルカリ性の炭を区分して備える構成が含まれる。また、火薬及びアルカリ性の炭以外の材料を含んで構成してもよいし、火薬及びアルカリ性の炭のみで構成してもよい。
【００１２】
また、火薬及びアルカリ性の炭の割合は任意であるが、浄化作用を高めたい場合は、アルカリ性の炭の含有割合を大きくし、爆発作用を高めたい場合は、火薬の含有割合を大きくすればよい。
【００１３】
〔発明２〕  さらに、発明２の花火玉は、発明１の花火玉において、前記玉皮は、植物繊維と、澱粉と、セルラーゼと、アルカリ性の炭とを含む。
【００１４】
本発明者が調査したところ、海上で打ち上げ花火を行うと、花火が爆発する大きな音や振動で魚が沖に逃げてしまい、一ヶ月ほど浜辺近くに魚が寄ってこないことが分かった。
【００１５】
本発明に係る花火玉は、澱粉が玉皮に含まれているので、花火玉が上空で爆発、開花した後、玉皮の燃え滓が残渣として地上等に落下すると、玉皮の燃え滓が魚のエサとなり、魚を早期に浜辺近くに呼び戻すことができる。また、本発明に係る花火玉は、セルラーゼが玉皮に含まれているので、玉皮が水中で分解しやすくなる。また、本発明に係る花火玉は、アルカリ性の炭が玉皮に含まれているので、花火玉が上空で爆発、開花した後、アルカリ性の炭が残渣として地上等に落下すると、海水の水質や土壌の改善が促される。
【００１６】
ここで、アルカリ性の炭は、粒状又は粉状であることが好ましいが、これに限らず、任意の大きさ及び形状の炭を採用することができる。
【００１７】
また、玉皮は、植物繊維、澱粉、セルラーゼ及びアルカリ性の炭を含んでいればよく、植物繊維、澱粉、セルラーゼ及びアルカリ性の炭を混合してなる構成のほか、植物繊維、澱粉、セルラーゼ及びアルカリ性の炭を区分して備える構成が含まれる。また、植物繊維、澱粉、セルラーゼ及びアルカリ性の炭以外の材料を含んで構成してもよいし、植物繊維、澱粉、セルラーゼ及びアルカリ性の炭のみで構成してもよい。
【００１８】
また、植物繊維、澱粉、セルラーゼ及びアルカリ性の炭の割合は任意であるが、魚の誘致作用を高めたい場合は、澱粉の含有割合を大きくし、玉皮の水中での分解作用を高めたい場合は、セルラーゼの含有割合を大きくし、浄化作用を高めたい場合は、アルカリ性の炭の含有割合を大きくすればよい。
【発明の効果】
【００１９】
以上説明したように、発明１の花火玉によれば、アルカリ性の炭が残渣として地上等に落下すると、海水の水質や土壌の改善が促されるので、従来に比して、環境への負荷を低減することができる。
【００２０】
さらに、発明２の花火玉によれば、海上で打ち上げ花火を行った場合に、玉皮の燃え滓が魚のエサとなるので、花火が爆発する大きな音や振動で沖に逃げてしまった魚を早期に浜辺近くに呼び戻すことができる。また、玉皮の燃え滓に含まれるセルラーゼにより玉皮が水中で分解しやすくなる。さらに、玉皮の燃え滓に含まれるアルカリ性の炭により海水の水質や土壌の改善が促されるので、環境への負荷をさらに低減することができる。
【図面の簡単な説明】
【００２１】
【図１】本実施形態に係る花火玉１の構成図である。
【発明を実施するための形態】
【００２２】
以下、本発明の実施の形態を説明する。
まず、花火玉１の構成を説明する。図１は、本実施形態に係る花火玉１の構成図である。
【００２３】
花火玉１は、図１に示すように、割薬３及び星４を玉皮５で包含してなる。導火線２は、花火玉１の外側から内側の中央まで挿入されている。星４は、中空半球状の玉皮５の内側に沿って配列される。割薬３は、玉皮５の内側に配列された星４の内側に充填される。割薬３及び星４が充填された２つの玉皮５をノリで貼り合わせて花火玉１を構成する。
【００２４】
割薬３は、粉状の火薬と、アルカリ性の粉炭とを混合してなる。火薬は、例えば、公知の黒色火薬を用いることができ、酸性の粉炭と、酸化剤等とを混合してなる。火薬及びアルカリ性の炭の割合は、例えば、重量比で９：１とする。酸性の炭は、低温で焼成するが、特に２８０℃〜３２０℃の低温で焼成すると、火薬の原料として好適である。これに対し、アルカリ性の炭は、６００℃〜１０００℃の高温で焼成する。
【００２５】
玉皮５は、厚紙を中空半球状にプレスして形成する。この厚紙は、公知の製法（例えば、ＷＯ／１９９８／０１１９７３公報記載の製法）により、植物繊維と、粉状の米（澱粉）と、セルラーゼと、アルカリ性の粉炭とを混練し固化してなる。植物繊維、澱粉、セルラーゼ及びアルカリ性の炭の割合は、例えば、重量比で５０：４０：５：５とする。
【００２６】
なお、花火玉１の基本的な製法については、公知の製法を用いることができる。
次に、本実施の形態の動作を説明する。
【００２７】
海上において、花火玉１の導火線２に着火し、花火玉１を上空に打ち上げる。花火玉１は、上空において、導火線２に着火した火が割薬３を爆発させ、星４を飛び散らせて、花火を表現する。その後、花火玉１の残渣が水上に落下すると、割薬３及び玉皮５の燃え滓にアルカリ性の炭が含まれているので、海水の水質や土壌の改善が促される。また、玉皮５の燃え滓に澱粉が含まれているので、玉皮の燃え滓が魚のエサとなり、花火が爆発する大きな音や振動で沖に逃げてしまった魚を早期に浜辺近くに呼び戻すことができる。また、玉皮５の燃え滓にセルラーゼが含まれているので、玉皮５が水中で分解しやすくなる。
【００２８】
このようにして、本実施の形態では、割薬３は、酸性の炭を含む火薬と、アルカリ性の炭とを含む。これにより、アルカリ性の炭が残渣として地上等に落下すると、海水の水質や土壌の改善が促されるので、従来に比して、環境への負荷を低減することができる。
【００２９】
さらに、本実施の形態では、玉皮５は、植物繊維と、澱粉とを含む。これにより、海上で打ち上げ花火を行った場合に、玉皮５の燃え滓が魚のエサとなるので、花火が爆発する大きな音や振動で沖に逃げてしまった魚を早期に浜辺近くに呼び戻すことができる。
【００３０】
さらに、本実施の形態では、玉皮５は、さらに、セルラーゼを含む。これにより、玉皮５の燃え滓に含まれるセルラーゼにより玉皮５が水中で分解しやすくなる。
【００３１】
さらに、本実施の形態では、玉皮５は、さらに、アルカリ性の炭を含む。これにより、玉皮５の燃え滓に含まれるアルカリ性の炭により海水の水質や土壌の改善が促されるので、環境への負荷をさらに低減することができる。
【００３２】
なお、上記実施の形態においては、半球状の２つの玉皮５をノリで貼り合わせて花火玉１を構成したが、澱粉を含有したノリを用いれば、魚の誘致作用を高めることができる。
【符号の説明】
【００３３】
１…花火玉、  ２…導火線、  ３…割薬、  ４…星、  ５…玉皮
【要約】
【課題】  環境への負荷を低減するのに好適な花火玉を提供する。
【解決手段】  花火玉１は、割薬３及び星４を玉皮５で包含してなる。割薬３は、酸性の炭を含む火薬と、アルカリ性の炭とを含む。玉皮５は、植物繊維と、澱粉と、セルラーゼと、アルカリ性の炭とを含む。これにより、花火玉１が上空で爆発、開花した後、アルカリ性の炭が残渣として地上等に落下すると、海水の水質や土壌の改善が促されるので、環境への負荷を低減することができる。
【選択図】  図１【図１】
0005631519.tif 000002